(57)【要約】【課題】椅子やテーブル等を移動させたときに生じる衝撃音を吸収して階下等への騒音を防止し、長期間の防音効果を維持することができる家具用脚部防音具を提供する。【解決手段】家具等の脚部Ｐ下端を嵌入する有底筒状のキャップ体１を設ける。キャップ体１の底部に配置する合成ゴム製のリング体２を設ける。リング体２の上面部に沿って配置するスポンジ製のリング体２を設ける。リング体２の中央部に天然ゴム製の緩衝支持体３を配置する。複数の大型突起３Ａと小型突起３Ｂとを緩衝支持体３に設ける。大型突起３Ａがリング体２より上方に突出するように構成する。【選択図】図１
0003211395.tif 000002
【実用新案登録請求の範囲】
【請求項１】
家具等の脚部下端面に装着して家具等の移動により生じる衝撃音を吸収するように設けられた脚部用防音具であって、脚部下端を嵌入する有底筒状のキャップ体と、該キャップ体の底部内側に配置されたリング体と、リング体の中央部に配置されリング体より上方に突出する複数の突起を備えた緩衝支持体とで構成されたことを特徴とする家具用脚部防音具。
【請求項２】
前記リング体はスポンジ材にて形成され、前記緩衝支持体は天然ゴム材にて形成された請求項１記載の家具用脚部防音具。
【請求項３】
前記緩衝支持体は、前記リング体より上方に突出するように設けられた複数の大型突起と、前記リング体の高さに合わせて突出するように設けられた複数の小型突起とを備え、大型突起の内側に小型突起を配置した請求項１又は２記載の家具用脚部防音具。
【請求項４】
前記キャップ体の底部に、接着剤に浸した布層を介してＰＴＦＥコーティングを施したＰＴＦＥ層を設けた請求項１記載の家具用脚部防音具。
【考案の詳細な説明】
【技術分野】
【０００１】
本考案は、主に椅子やテーブル等の家具の脚部下端に装着することで、これらの椅子等を移動させたときに生じる衝撃音を吸収し、階下等への騒音を防止する家具用脚部防音具に関するものである。
【背景技術】
【０００２】
従来、家具の脚部に装着する部材として、例えば、特許文献１に示されるような家具類等の脚部端面支持構造が提案されている。この支持構造によると、パイプの端部とこの端部を支持する弾性支持部材との間に緩衝材を介在させたもので、家具類を安定的に支持するものである。
【０００３】
一方、脚部の下端面に貼り付ける構成の防音具として、特許文献２や特許文献３に記載の防音具が提案されている。
【０００４】
特許文献２の防音具は、当出願人が先に提案したもので、上下二層の発泡材からなる防音層を、脚部の下端面に貼り付ける構成を成している。
【０００５】
特許文献３の防音具は、下面に繊維のシートを備えた受け板を設け、この受け板の上面に弾性体板を設け、この弾性体板を粘着剤にて脚部の下面に貼り付けるものである。
【先行技術文献】
【特許文献】
【０００６】
【特許文献１】実用新案登録第３０７７２０５号公報
【特許文献２】実用新案登録第３１３５７４６号公報
【特許文献３】特開２００１-２８６３６１号公報
【考案の概要】
【考案が解決しようとする課題】
【０００７】
特許文献１の支持構造では、緩衝材をパイプ材の内部に挿入する必要があるので、この支持構造が適用される家具は、脚部がパイプ材で形成されている家具に限られることになり、パイプ材以外の脚部に装着することは困難である。したがって、特許文献１の支持構造では、装着可能な家具の種類が限定される不都合があった。
【０００８】
また、特許文献２や特許文献３に記載の防音具は、脚部の下端面に貼り付ける構成を成しているので、特許文献１の支持構造と比べてより多くの家具に使用することが可能である。しかしながら、脚部の下端面に接着剤で貼り付ける構成なので、この接着剤が椅子等を移動させたときに剥がれ易くなるという課題があった。
【０００９】
しかも、特許文献３に記載のクッション部材では、クッション部材の下面に繊維シートを設けたものであり、この繊維内部の空気層による防音効果を期待したものである。ところが、この繊維シートには、常に荷重が加わる最下面に配置されているので、家具の重量や家具加わる荷重によって、しだいに繊維が潰れてしまい、内部の空気層が全くなくなる虞があった。このように繊維シートの空気層がなくなると、防音効果を発揮できず、家具の衝撃が直接床に響く状態になる。
【００１０】
そこで本考案は、上述の課題を解消すべく案出されたもので、椅子やテーブル等の家具の脚部下端に装着することで、これらの椅子等を移動させたときに生じる衝撃音を吸収して階下等への騒音を防止し、しかも防音効果を長期間維持することができる家具用脚部防音具の提供を目的とするものである。
【課題を解決するための手段】
【００１１】
本考案の第１の手段は、家具等の脚部Ｐ下端面に装着して家具等の移動により生じる衝撃音を吸収するように設けられた脚部用防音具であって、脚部Ｐ下端を嵌入する有底筒状のキャップ体１と、該キャップ体１の底部内側に配置されたリング体２と、該リング体２の中央部に配置されリング体２より上方に突出する複数の突起を備えた緩衝支持体３とで構成したものである。
【００１２】
第２の手段において、前記リング体２はスポンジ材にて形成され、前記緩衝支持体３は天然ゴム材にて形成されたものである。
【００１３】
第３の手段において、前記緩衝支持体３は、前記リング体２より上方に突出するように設けられた複数の大型突起３Ａと、前記リング体２の高さに合わせて突出するように設けられた複数の小型突起３Ｂとを備え、大型突起３Ａの内側に小型突起３Ｂを配置したものである。
【００１４】
第４の手段は、前記キャップ体１の底部に、接着剤に浸した布層４を介してＰＴＦＥコーティングを施したＰＴＦＥ層５を設けたことを課題解消のための手段とする。
【考案の効果】
【００１５】
本考案の請求項１により、脚部Ｐ下端を嵌入する有底筒状のキャップ体１と、該キャップ体１の底部に配置されたリング体２と、該リング体２の中央部に包囲されリング体２より上方に突出する複数の突起を備えた緩衝支持体３とで構成したことにより、脚部Ｐ下端はキャップ体１により覆われた状態で防音効果を発揮するので、脚部の形状に対応可能になり、特許文献１の支持構造のように脚部がパイプ材で形成されている家具に限られるといった従来の不都合は解消した。
【００１６】
しかも、椅子等を移動させたときに、脚部の下端面に貼り付けていた防音具が剥がれ易くなるという特許文献２,３の課題も解消され、安定した防音効果を長期間維持することができる。
【００１７】
請求項２のように、リング体２をスポンジ材にて形成し、緩衝支持体３を天然ゴム材にて形成することで、脚部Ｐ下端の荷重をリング体２が支持し、脚部Ｐの移動時に発生しやすい各種の音をリング体２と緩衝支持体３とが吸収することができる。この結果、マンション等で椅子等を移動させたときでも、階下の部屋にまで迷惑が掛かるような音を確実に防止することができる。
【００１８】
請求項３のごとく、緩衝支持体３は、リング体２より上方に突出するように設けられた複数の大型突起３Ａと、リング体２の高さに合わせて突出するように設けられた複数の小型突起３Ｂとを備えたことで、防音効果の高いスポンジ製のリング体２の疲労防止効果を発揮する。しかも、大型突起３Ａの内側に小型突起３Ｂを配置しているので、リング体２に加わる負荷の偏りを防止し、リング体２の耐久性を高める効果もある。この結果、本考案の防音効果を長期間維持することができるものである。
【００１９】
請求項４のように、キャップ体１の底部に、接着剤に浸した布層４を介してＰＴＦＥコーティングを施したＰＴＦＥ層５を設けたことにより、本考案防音具を滑り易くすることができ、移動時に発生しやすい引きずり音を軽減することができる。しかも、接着剤に浸した布層４を介してＰＴＦＥコーティング層５を設けているので、耐久性を高める効果もある。
【００２０】
このように本考案によると、椅子やテーブル等の家具の脚部下端に装着することで、これらの椅子等を移動させたときに生じる衝撃音を吸収して階下等への騒音を防止し、しかも防音効果を長期間維持することができるなどといった当初の目的を達成した。
【図面の簡単な説明】
【００２１】
【図１】本考案の一実施例を示す分解斜視図である。
【図２】本考案の一実施例を示す縦断面図である。
【図３】本考案の一実施例を示す平面図である。
【図４】本考案の他の実施例を示す縦断面図である。
【考案を実施するための形態】
【００２２】
本考案は、椅子やテーブル等の家具の脚部Ｐ下端面に接着し家具の移動により生じる衝撃音を吸収する脚部用の防音具である。本考案構成は、キャップ体１、リング体２、緩衝支持体３を備えた構成である（図１参照）。
【００２３】
キャップ体１は有底筒状を成し、家具の脚部Ｐ下端を嵌入する弾性部材である。このキャップ体１は、エラストマー等の合成ゴム材にて形成され、脚部Ｐの形状に合わせた開口部と底部とを形成したものである。例えば、丸脚タイプの脚部Ｐには、円形の開口部を備えたキャップ体１を形成する（図１参照）。また、矩形タイプの脚部Ｐには、矩形状の開口部や底部を備えたキャップ体１を形成するものである（図示せず）。
【００２４】
リング体２は、キャップ体１の底部に配置される支持部材で、キャップ体１の底部形状に合わせて形成する（図２参照）。底部形状が円形のキャップ体１には、円形のリング体２を使用するが、矩形状の開口部や底部を備えたキャップ体１では、矩形状のリング体２を形成する。このリング体２は、防音効果を発揮する部材であり、キャップ体１によって位置ずれしないように保護されている。リング体２の防音効果を高めるには、特にスポンジ材の使用が好適である。また、スポンジに替えてシリコン吸収材の使用も可能である。
【００２５】
緩衝支持体３は、リング体２の中央部に配置される突起状の緩衝部材である（図３参照）。そして、リング体２より上方に突出する複数の突起を備えている（図２参照）。この緩衝支持体３は、リング体２と同様に脚部Ｐの荷重を支持することで、防音効果と共に、リング体２の疲労を防止するように設けられている。図示例の緩衝支持体３は、リング体２より上方に突出するように設けられた複数の大型突起３Ａと、リング体２の高さに合わせて突出するように設けられた複数の小型突起３Ｂとをベース板３Ｃ上に突設したものである（図１参照）。
【００２６】
そして、脚部Ｐに荷重が加わった場合は、リング体２と共に、大型突起３Ａ及び小型突起３Ｂがこの荷重を支持する。更に、脚部Ｐに加わっていた荷重がなくなると、大型突起３Ａが脚部Ｐを持ち上げてリング体２に加わる負荷をできるだけ少なくするように構成している。
【００２７】
この結果、リング体２に荷重が加わる際に防音効果を発揮し、加わっていた荷重がなくなると、大型突起３Ａの支持力によってリング体２に掛かる荷重を少なくすることができるので、長期の使用においてリング体２の疲労を軽減するものである。
【００２８】
本考案防音具は、家具の移動を補助するように移動自在に使用することも可能であり、また家具の滑り止めとして使用することも可能である。図２に記載の防音具のように、キャップ体１の床面に接する面が合成ゴム材等になっている場合は滑り止め用の防音具として使用できる。
【００２９】
一方、図４に示す防音具は、キャップ体１の底面にＰＴＦＥ層５を設けている。この場合、家具等の滑りを補助する滑り材付防音具として使用することができる。この場合、キャップ体１の底部に、接着剤に浸した布層４を介してＰＴＦＥコーティングを施したＰＴＦＥ層５を設けることで、耐久性を高めることができる（ＰＴＦＥ(polytetrafluoroethylene）＝ポリテトラフルオロエチレン）。
【００３０】
尚、図示例の各構成は、本考案の一実施例に過ぎず、キャップ体１やリング体２、リング体２、緩衝支持体３の各形状や材質などは任意に選択できるもので、本考案の要旨を変更しない範囲において自由に変更することが可能である。
【符号の説明】
【００３１】
Ｐ  脚部
１  キャップ体
２  リング体
３  緩衝支持体
３Ａ  大型突起
３Ｂ  小型突起
３Ｃ  ベース板
４  布層
５  ＰＴＦＥ層
【図１】
0003211395.tif 000003
【図２】
0003211395.tif 000004
【図３】
0003211395.tif 000005
【図４】
0003211395.tif 000006